(57)【要約】【課題】スポーツ観戦において、応援の一環としてフェイスペイントや、水転写シート等にて顔面装飾方法がおこなわれていた。【解決手段】デザイン性と温感性の効果を得る水転写シートを提供する。【選択図】      図１
2007062346.tif 000002
【特許請求の範囲】
【請求項１】
第一工程にて水浸透性印刷基材に水溶解加工を施し、第二加工にて水溶解層の上層に樹脂剤、スチレン系樹脂、アクリル系樹脂、エチルセルロース等のカバー層加工を施し、第三加工にてカプサイシン、ショウキョウチンキ、カンタリスチンキ、ノニル酸バニリルアミド、ニコチン酸アミド、ゼオライト、皮膚浸透剤、水性顔料インクを配合した温感剤組成インクにて印刷加工を施すことを特徴とする温感剤組成インクによる転写印刷物の製造及び温感剤組成インクによる転写印刷物。
【請求項２】
第一工程にて、水浸透性印刷基材に水溶解加工を施し、第二加工にて水溶解層の上層に樹脂剤、スチレン系樹脂、アクリル系樹脂、エチルセルロース等のカバー層加工を施し、第三加工にてカプサイシン、ショウキョウチンキ、カンタリスチンキ、ノニル酸バニリルアミド、ニコチン酸アミド、ゼオライト、皮膚浸透剤、油性顔料インクを配合した温感剤組成インクにて印刷加工を施すことを特徴とする温感剤組成インクによる転写印刷物の製造及び温感剤組成インクによる転写印刷物。
【発明の詳細な説明】
【技術の分野】
【０００１】本発明は、温感剤組成インクによる水転写シート印刷の製造及び温感剤組成インクによる水転写シート印刷物に関するものである。
【背景技術】
【０００２】スポーツ観戦において、応援の一環としてフェイスペイント又は体部装飾等、水転写シート等にて顔面及び体部装飾方法がおこなわれていた。
顔面装飾方法及び装飾における転写シートの代用として印刷された絆創膏（特許公開番号特開平７−６７９１、）が発明され、顔面装飾への安全性から有機溶剤転写シート（特許公開番号特開２０００−６５９６）の発明がなされていた。
使用時に温感を与える目的で、唐辛子抽出成分、ショウキョウ抽出成分、カプサイシン、ノニル酸バニリルアミド、ニコチン酸ベンジル等が配合された化粧料（特許公開番号特開平１０−２９１９１２）の発明がなされていた。
【特許文献１】特許公開番号特開平７−６７９１
【特許文献２】特許公開番号特開２０００−６５９６
【特許文献３】特許公開番号特開平１０−２９１９１２
【発明の開示】
【発明が解決しようとする課題】
【０００３】  これには次のような欠点があった。
従来、スポーツ観戦において、応援の一環として顔面及び体部装飾として水転写シート等にて装飾がおこなわれていた。【０００４】（イ）体部及び顔面装飾方法及び装飾における転写シートの代用としてデザイン印刷された絆創膏が生産されていたが販売コストの割高と在庫保管において欠点がみられた。
（ロ）体部及び顔面装飾への安全性から有機溶剤転写シートの基材の販売がなされていたが、基材の生産においては大量生産で少量生産の対応がなされていなかった。
（ハ）体部及び顔面装飾転写シートおいて温感効果を得た転写シートの既存がなかった。
本発明は、これらの問題点を解決するためになされたものである。
【課題を解決するための手段】
【０００５】  第一工程にて水浸透性印刷基材に水溶解加工を施し、第二加工にて水溶解層の上層に樹脂剤、スチレン系樹脂、アクリル系樹脂、エチルセルロース等のカバー層加工を施し、第三加工にてカプサイシン、ショウキョウチンキ、カンタリスチンキ、ノニル酸バニリルアミド、ニコチン酸アミド、ゼオライト、皮膚浸透剤、水性顔料インク又は油性顔料インクを配合した温感剤組成インクにて印刷加工を施すことを特徴とする温感剤組成インクによる転写印刷物の製造及び温感剤組成インクによる転写印刷物。【０００６】以上の課題を解決するための手段により温感剤組成インクによる転写印刷物の製造及び温感剤組成インクによる転写印刷物が提供されるもものである。
【発明の効果】
【０００７】本発明は、スポーツ観戦やお祭りなどにおいて、応援やファッションの一環として体部及び顔面装飾（フェイスペイント）は、水転写シート等にて装飾がおこなわれていたが体部及び顔面装飾に用いられる水転写シートにおいて効果を得たものは既存しなかったが本発明の課題の解決により温感効果を得ることを可能とした。【０００８】第一工程にて水浸透性印刷基材に水溶解加工を施し、第二加工にて水溶解層の上層に樹脂剤、スチレン系樹脂、アクリル系樹脂、エチルセルロース等のカバー層加工を施し、第三加工にてカプサイシン、ショウキョウチンキ、カンタリスチンキ、ノニル酸バニリルアミド、ニコチン酸アミド、ゼオライト、皮膚浸透剤、水性顔料インク又は油性顔料インクを配合した温感剤組成インクにて印刷加工を施すことを特徴とする温感剤組成インクによる転写印刷物の製造及び温感剤組成インクによる印刷加工を施すことでデザイン性をともなった温感性の効果を得る水転写シートの提供ができる。【０００９】本発明の温感剤組成インク転写印刷物の製造及び温感剤組成インク転写印刷物は印刷物であることから、デザイン性と温感性の効果を得る水転写シートの提供により、スポーツ観戦やお祭りなどにおいて応援やファッションの一環やイベントや広告商品として産業上の利用効果を得る。
本発明は、以上の効果を実現するものである。
【発明を実施するための最良の形態】
【００１０】  以下、本発明の実施の形態について図１乃至図５をもちいて説明する。
図１に記載されているのは、本発明、温感剤組成インク転写印刷物の製造及び温感剤組成インク転写印刷物の実施の構造を示した図で、水溶浸透性の印刷基材（１０１）でその上層に水溶解層（１０２）を加工し、その上層に樹脂剤、スチレン系樹脂、アクリル系樹脂、エチルセルロース等のカバー層（１０３）を加工し、その上層にカプサイシン、ショウキョウチンキ、カンタリスチンキ、ノニル酸バニリルアミド、ニコチン酸アミド、ゼオライト、皮膚浸透剤、水性顔料インク又は油性顔料インクを配合した温感剤組成インクにて印刷（１０４）を設けた構造を示した図である。
また温感剤組成インク総合配分及び実施配分実験結果は下記のとおりである。
総合配分
カプサイシン３０〜４０部
ショウキョウチンキ２０〜３０部
カンタリスチンキ２０〜３０部
ノニル酸バニリルアミド２０〜３０部
ニコチン酸アミド２０〜３０部
ゼオライト２０〜３０部
皮膚浸透剤２０〜４０部
水性顔料インク４０〜５０部又は油性顔料インク４０〜５０部
上記に記載した、温感剤組成のカプサイシン、ショウキョウチンキ、カンタリスチンキ、ノニル酸バニリルアミド、ニコチン酸アミド、ゼオライト、皮膚浸透剤、水性顔料インク又は油性顔料インクの配合配分は基材状況及び印刷条件により異なるものである。
実験１
水性顔料インク（レッド）
＊水性顔料（水性化粧）にて実施
・実施配分
水性顔料インク４０％
カプサイシン３０％
ショウキョウチンキ５％
カンタリスチンキ５％
ノニル酸バニリルアミド５％
ニコチン酸アミド５％
ゼオライト５％
皮膚浸透剤５％
印刷方法
水浸透性印刷基材に水溶解加工を施し、水溶解層の上層に樹脂剤、スチレン系樹脂、アクリル系樹脂、エチルセルロース等のカバー層に直接塗布。
乾燥方法  自然乾燥  ：部分により約２分で硬化。
転写方法  ：水による剥離転写。
体転写部位  ：腕内部。
体感  ：感覚的な温感を感じる。
実験２
油性顔料インク（レッド）
＊油性顔料（油性化粧）にて実施
実施配分
油性顔料インク３５％
カプサイシン３０％
ショウキョウチンキ５％
カンタリスチンキ５％
ノニル酸バニリルアミド５％
ニコチン酸アミド５％
ゼオライト５％
皮膚浸透剤１０％
印刷方法
水浸透性印刷基材に水溶解加工を施し、水溶解層の上層に樹脂剤、スチレン系樹脂、アクリル系樹脂、エチルセルロース等のカバー層に直接塗布。
乾燥方法  自然乾燥  ：部分により約１分で硬化。
転写方法  ：水による剥離転写。
体転写部位  ：腕内部。
体感  ：感覚的な温感を感じる。
以上実験結果により、温感剤組成は必要に応じて配合配分されるものである。【００１１】図２に記載されているのは、前記図１に示した温感剤組成インク転写印刷物の製造及び温感剤組成インク転写印刷物の実施の分解構造を示した図である。【００１２】図３に記載されているのは、本発明温感剤組成インク転写印刷物の製造及び温感剤組成インク転写印刷物の実施の構造断面を示した図である。【００１３】図４に記載されているのは、本発明温感剤組成インク転写印刷物の製造及び温感剤組成インク転写印刷物の実施の形態を示す図で、転写印刷物の水溶浸透性の印刷基材（１０１）の背面より水（１０５）を浸透させることで、水溶解層（１０２）と印刷基材（１０１）が分離され樹脂剤、スチレン系樹脂、アクリル系樹脂、エチルセルロース等のカバー層（１０３）から印刷（１０４）が剥離され、被写体（１０６）に転写印刷（１０７）される。【００１４】図５に記載されているのは本発明転写印刷物の製造の工程を示した図である。
以上、本発明の構成で実施において下記に示す。【００１５】本発明の実施
本発明転写印刷物の製造及び転写印刷物はスポーツ観戦やお祭りなどにおいて応援やファッションの一環として体部及び顔面装飾（フェイスペイント）において水転写シート等にて装飾方法がおこなわれていたがシートにおいて温感効果を得たものは既存しなかったが本発明の課題の解決においてカプサイシン、ショウキョウチンキ、カンタリスチンキ、ノニル酸バニリルアミド、ニコチン酸アミド、ゼオライト、皮膚浸透剤、水性顔料インク又は油性顔料インクを配合した温感剤組成インクにて印刷加工を施すことにより温感性の効果を得る水転写シートの提供を可能とした。【００１６】以上のことから、温感剤組成インクによる転写印刷物の製造及び温感剤組成インクによる転写印刷物は温感性の効果を得る水転写シートの実現と実施が望めるものである。
また温感剤組成インクによる転写印刷物の製造及び温感剤組成インクによる転写印刷物は温感性の効果を得る水転写シートの印刷方法はオフセット印刷、凸版印刷、スクリーン印刷、等公知された印刷方法で実施され温感剤組成のカプサイシン、ショウキョウチンキ、カンタリスチンキ、ノニル酸バニリルアミド、ニコチン酸アミド、ゼオライト、皮膚浸透剤、水性顔料インク又は油性顔料インクの配合配分は基材状況及び印刷条件により異なるもので温感剤組成インクの配合配分及び印刷方法において本明細に記載されていない用法においても実施されるものである。
以上、本発明は実施される。
【産業上の利用可能性】
【００１７】本発明、温感剤組成インクによる転写印刷物の製造及び温感剤組成インクによる転写印刷物の実施の構造は図１で示されるよう、水溶浸透性の印刷基材（１０１）でその上層に水溶解層（１０２）、カバー層（１０３）、印刷（１０４）を設けた構造である。
本発明に使用される印刷のインクはカプサイシン、ショウキョウチンキ、カンタリスチンキ、ノニル酸バニリルアミド、ニコチン酸アミド、ゼオライト、皮膚浸透剤、水性顔料インク又は油性顔料インクを配合した温感剤組成インクにて印刷加工を施すことを特徴とする温感剤組成インクによる転写印刷物の製造及び温感剤組成インクによる印刷加工を施すことで温感性の効果を得る水転写シートの提供ができる。【００１８】本発明の転写印刷物の製造及び転写印刷物は印刷物であることから、デザイン性と冷感性の効果を得る水転写シートの提供によりスポーツ観戦やお祭りイベントなどにおいて応援やファッションの一環として産業上利用されるものである。
本発明は以上の構成より産業上利用されるものである。
【図面の簡単な説明】
【００１９】
【図１】  本発明温感剤組成インクによる転写印刷物の実施の構造を示した図である。
【図２】  本発明温感剤組成インクによる転写印刷物の実施の分解構造を示した図である。
【図３】  本発明温感剤組成インクによる転写印刷物の実施の構造断面を示した図である。
【図４】  本発明温感剤組成インクによる転写印刷物の製造及び転写印刷物の実施の形態を示す図である。
【図５】  本発明温感剤組成インクによる転写印刷物の製造の工程を示した図である。
【符号の説明】
【００２０】１０１．基材
１０２．水溶性解層
１０３．カバー層
１０４．印刷層
１０５．水
１０６．転写被写体
１０７．転写印刷
２０．  印刷基材水溶性解加工
２０１．カバー層形成加工
２０２．印刷加工
２０３．保護シート加工
【図１】
2007062346.tif 000003
【図２】
2007062346.tif 000004
【図３】
2007062346.tif 000005
【図４】
2007062346.tif 000006
【図５】
2007062346.tif 000007